(57)【特許請求の範囲】
【請求項１】
ファクシミリ通信機能を有し、そのファクシミリ通信において回線との間で送受信すべきファクシミリ信号を無線にて送受信するよう構成され、受信された前記ファクシミリ信号のファクシミリデータへの復調及び送信すべきファクシミリデータの前記ファクシミリ信号への変調を行う変復調手段を備えたファクシミリ子機と、
前記回線に接続され、前記ファクシミリ子機との間で無線通信可能であって、前記ファクシミリ子機と前記回線との間で前記ファクシミリ信号の中継を行う親機と、
を備えてなるファクシミリ装置であって、
前記親機は、
前記ファクシミリ信号を記録する記録手段と、
前記回線からの着信を受けて前記ファクシミリ信号の受信を行うファクシミリ受信動作中に、前記回線から受信されて前記ファクシミリ子機へ中継して送信する前記ファクシミリ信号を前記記録手段に記録する記録制御手段と、
前記ファクシミリ受信動作の終了後、その終了したファクシミリ受信動作中に前記記録手段に記録された前記ファクシミリ信号を前記ファクシミリ子機へ無線送信させる記録信号送信制御手段と、
を備え、
前記ファクシミリ子機は、
前記ファクシミリ受信動作中に前記親機により中継して送信された前記ファクシミリ信号である第１ファクシミリ信号と、前記ファクシミリ受信動作中に前記親機の前記記録手段に記録されて、そのファクシミリ受信動作の終了後に前記親機から送信される前記ファクシミリ信号である第２ファクシミリ信号と、の少なくとも一方に基づいて画像データを生成する画像データ生成手段と、
前記ファクシミリ受信動作中、前記第１ファクシミリ信号の受信が正常に行われたか否かを判断する子機受信判断手段と、
前記ファクシミリ受信動作の終了後、そのファクシミリ受信動作中において前記子機受信判断手段により前記第１ファクシミリ信号の受信が正常に行われなかったと判断された場合に、記録信号送信要求を前記親機へ無線送信させる記録信号送信要求手段と、
前記子機受信判断手段により前記第１ファクシミリ信号の受信が正常に行われたと判断された場合に、第１削除要求を前記親機へ無線送信させる第１削除要求手段と、
を備え、
前記親機は、前記記録手段に記録された前記第２ファクシミリ信号に対し、前記子機から前記第１削除要求が受信された場合にその第２ファクシミリ信号を削除する第１削除手段を備え、
前記親機が備える前記記録信号送信制御手段は、前記ファクシミリ子機からの前記記録信号送信要求が受信された場合に、前記第２ファクシミリ信号を前記ファクシミリ子機へ無線送信させ、
前記ファクシミリ子機が備える前記画像データ生成手段は、前記記録信号送信要求手段により前記記録信号送信要求が前記親機へ無線送信された場合、その記録信号送信要求に対して前記親機から無線送信された前記第２ファクシミリ信号に基づいて画像データを生成する
ことを特徴とするファクシミリ装置。
【請求項２】
ファクシミリ通信機能を有し、そのファクシミリ通信において回線との間で送受信すべきファクシミリ信号を無線にて送受信するよう構成され、受信された前記ファクシミリ信号のファクシミリデータへの復調及び送信すべきファクシミリデータの前記ファクシミリ信号への変調を行う変復調手段を備えたファクシミリ子機と、
前記回線に接続され、前記ファクシミリ子機との間で無線通信可能であって、前記ファクシミリ子機と前記回線との間で前記ファクシミリ信号の中継を行う親機と、
を備えてなるファクシミリ装置であって、
前記親機は、
前記ファクシミリ信号を記録する記録手段と、
前記回線からの着信を受けて前記ファクシミリ信号の受信を行うファクシミリ受信動作中に、前記回線から受信されて前記ファクシミリ子機へ中継して送信する前記ファクシミリ信号を前記記録手段に記録する記録制御手段と、
前記ファクシミリ受信動作の終了後、その終了したファクシミリ受信動作中に前記記録手段に記録された前記ファクシミリ信号を前記ファクシミリ子機へ無線送信させる記録信号送信制御手段と、
を備え、
前記ファクシミリ子機は、
前記ファクシミリ受信動作中に前記親機により中継して送信された前記ファクシミリ信号である第１ファクシミリ信号と、前記ファクシミリ受信動作中に前記親機の前記記録手段に記録されて、そのファクシミリ受信動作の終了後に前記親機から送信される前記ファクシミリ信号である第２ファクシミリ信号と、の少なくとも一方に基づいて画像データを生成する画像データ生成手段と、
前記ファクシミリ受信動作の開始後、所定の記録開始要求タイミングにて前記親機へ記録開始要求を無線送信させる記録開始要求手段と、
を備え、
前記親機が備える前記記録制御手段は、前記ファクシミリ子機からの前記記録開始要求が受信された場合に、前記第２ファクシミリ信号の記録を開始する
ことを特徴とするファクシミリ装置。
【請求項３】
請求項２に記載のファクシミリ装置であって、
当該ファクシミリ装置が有する前記ファクシミリ通信機能は、ＩＴＵ−Ｔ勧告Ｔ．３０で定められる伝送手順に従って行われるものであり、
前記記録開始要求タイミングは、前記ファクシミリ受信動作中、前記ファクシミリ子機において、前記回線からＴＣＦ信号が正常に受信された後、そのＴＣＦ信号に対する応答信号であるＣＦＲ信号を送信する前のタイミングである
ことを特徴とするファクシミリ装置。
【請求項４】
請求項２又は請求項３に記載のファクシミリ装置であって、
前記ファクシミリ子機は、前記記録開始要求手段により前記親機への前記記録開始要求の無線送信がなされた後、所定の記録停止要求タイミングにて前記親機へ記録停止要求を無線送信させる記録停止要求手段を備え、
前記親機が備える前記記録制御手段は、前記第２ファクシミリ信号の記録開始後、前記ファクシミリ子機からの前記記録停止要求が受信された場合に、その第２ファクシミリ信号の記録を停止する
ことを特徴とするファクシミリ装置。
【請求項５】
請求項４に記載のファクシミリ装置であって、
当該ファクシミリ装置が有する前記ファクシミリ通信機能は、ＩＴＵ−Ｔ勧告Ｔ．３０で定められる手順に従って行われるものであり、
前記記録停止要求タイミングは、前記ファクシミリ受信動作中、前記ファクシミリ子機において、前記回線からＥＯＰ信号が受信された後、そのＥＯＰ信号に対する応答信号であるＭＣＦ信号を送信する前のタイミングである
ことを特徴とするファクシミリ装置。
【請求項６】
ファクシミリ通信機能を有し、そのファクシミリ通信において回線との間で送受信すべきファクシミリ信号を無線にて送受信するよう構成され、受信された前記ファクシミリ信号のファクシミリデータへの復調及び送信すべきファクシミリデータの前記ファクシミリ信号への変調を行う変復調手段を備えたファクシミリ子機と、
前記回線に接続され、前記ファクシミリ子機との間で無線通信可能であって、前記ファクシミリ子機と前記回線との間で前記ファクシミリ信号の中継を行う親機と、
を備えてなるファクシミリ装置であって、
前記親機は、
前記ファクシミリ信号を記録する記録手段と、
前記回線からの着信を受けて前記ファクシミリ信号の受信を行うファクシミリ受信動作中に、前記回線から受信されて前記ファクシミリ子機へ中継して送信する前記ファクシミリ信号を前記記録手段に記録する記録制御手段と、
前記ファクシミリ受信動作の終了後、その終了したファクシミリ受信動作中に前記記録手段に記録された前記ファクシミリ信号を前記ファクシミリ子機へ無線送信させる記録信号送信制御手段と、
を備え、
前記ファクシミリ子機は、
前記ファクシミリ受信動作中に前記親機により中継して送信された前記ファクシミリ信号である第１ファクシミリ信号と、前記ファクシミリ受信動作中に前記親機の前記記録手段に記録されて、そのファクシミリ受信動作の終了後に前記親機から送信される前記ファクシミリ信号である第２ファクシミリ信号と、の少なくとも一方に基づいて画像データを生成する画像データ生成手段を備え、
前記親機は、前記記録制御手段により記録された前記第２ファクシミリ信号が前記記録信号送信制御手段により前記ファクシミリ子機へ無線送信された後にその無線送信された第２ファクシミリ信号を前記記録手段から削除する第２削除手段を備えている
ことを特徴とするファクシミリ装置。
【請求項７】
請求項６に記載のファクシミリ装置であって、
前記ファクシミリ子機は、前記ファクシミリ受信動作の終了後、前記親機からの前記第２ファクシミリ信号が受信された場合に第２削除要求を前記親機へ無線送信させる第２削除要求手段を備え、
前記親機が備える前記第２削除手段は、前記ファクシミリ子機からの前記第２削除要求が受信された場合に、前記記録手段に記録された前記第２ファクシミリ信号の削除を行う
ことを特徴とするファクシミリ装置。
【請求項８】
請求項１〜請求項７の何れか１項に記載のファクシミリ装置であって、
前記ファクシミリ子機は、前記親機との間で正常に無線通信が行える通信環境良好状態であるか否かを判断する通信環境判断手段を備え、
前記親機が備える前記記録制御手段は、前記通信環境判断手段により前記通信環境良好状態であると判断された場合は、前記第２ファクシミリ信号の記録を行わない
ことを特徴とするファクシミリ装置。
【発明の詳細な説明】
【技術分野】
【０００１】
本発明は、回線に接続された親機と子機との間で無線によりファクシミリ信号の送受信を行うよう構成されたファクシミリ装置に関する。
【背景技術】
【０００２】
従来、この種のファクシミリ装置では、親機が、ＦＡＸモデムを有し、回線との間でファクシミリ通信用の音声信号（ファクシミリ信号）の送受信をリアルタイムに行っている。そして、回線から受信した音声信号についてはＦＡＸモデムでファクシミリデータ（以下「ＦＡＸデータ」とも言う）に復調してファクシミリ子機（以下「ＦＡＸ子機」とも言う）へ無線送信し、ＦＡＸ子機から無線送信されてきた送信用のＦＡＸデータについてはそれをＦＡＸモデムで音声信号に変調して回線へ送信する。尚、ファクシミリ通信用の音声信号は、音声周波数帯域（例えば３００〜３４００Ｈｚ）のアナログ信号である。
【０００３】
上記のように親機とＦＡＸ子機とで構成されるファクシミリ装置は、従来、回線からの着信に対し、親機にてＦＡＸデータへの復調及び画像データの生成（復調したＦＡＸデータから画像データの復元）を行った上で、その画像データをＦＡＸ子機へ無線送信するよう構成されている。つまり、画像データ受信のために回線との間で行うべきファクシミリ通信の一連の手順は、全て、回線と親機との間で完結しており、その両者間でリアルタイムに行われる。
【０００４】
そのため、従来のファクシミリ装置は、親機及びＦＡＸ子機ともに高性能のＣＰＵや大容量のメモリを搭載する必要があり、それがコストダウンへの障壁となっていた。特に、親機がコードレス電話機能も備えている場合、親機は、ＦＡＸ子機への画像データ送信用の無線通信モジュールとは別に、コードレス電話用の無線通信モジュールを搭載する必要があり、コストダウンへの障壁となっていた。
【０００５】
これに対し、コストダウンのための一手法として、ＦＡＸモデムをＦＡＸ子機に搭載し、ＦＡＸ子機自身が親機を介して回線との間で主体的にファクシミリ通信用の各種音声信号の送受信を行うようにすることが考えられる（例えば、特許文献１，２参照。）。
【０００６】
このように構成することで、親機は、ＦＡＸモデムが不要となり、基本的には回線とＦＡＸ子機との間でファクシミリ通信用の音声信号を無線にてリアルタイムに中継する機能を備えればよいため、その分、構成の簡素化、コストダウンが可能となる。
【先行技術文献】
【特許文献】
【０００７】
【特許文献１】特開２００７−２０８８１０号公報
【特許文献２】特開平９−１３９７７８号公報
【発明の概要】
【発明が解決しようとする課題】
【０００８】
しかし、ＦＡＸ子機にＦＡＸモデムを搭載して親機は音声信号をリアルタイムに中継する構成とすると、例えば親機とＦＡＸ子機との間の通信環境悪化などの種々の要因によって親機とＦＡＸ子機との間の音声信号の無線通信が正常に行われず、パケットロス等のエラーが生じてＦＡＸ子機が画像データを正常に取得できなくなるおそれがある。
【０００９】
つまり、親機とＦＡＸ子機との間はリアルタイムに音声信号を送受信する必要があるが故に、親機からＦＡＸ子機へ音声信号が送信されている間にパケットロス等のエラーが生じたとしてもそのまま（リアルタイムに）その音声信号の送信は継続される。そのため、音声信号送信中にパケットロス等のエラーがあった場合、その影響がそのまま、最終的に得られる画像データの品質劣化として現れてしまうという問題があった。
【００１０】
本発明は上記課題に鑑みなされたものであり、ＦＡＸモデム機能を備えたＦＡＸ子機と回線との間の音声信号（ファクシミリ信号）の送受信を親機が無線にて中継するよう構成されたファクシミリ装置において、親機とＦＡＸ子機との間の通信環境にかかわらず、ＦＡＸ子機が画像データを正常に取得できるようにすることを目的とする。
【課題を解決するための手段】
【００１１】
上記課題を解決するためになされた本発明は、ファクシミリ通信機能を有し、そのファクシミリ通信において回線との間で送受信すべきファクシミリ信号を無線にて送受信するよう構成され、受信されたファクシミリ信号のファクシミリデータへの復調及び送信すべきファクシミリデータのファクシミリ信号への変調を行う変復調手段を備えたファクシミリ子機と、回線に接続され、ファクシミリ子機との間で無線通信可能であって、ファクシミリ子機と回線との間でファクシミリ信号の中継を行う親機と、を備えてなるファクシミリ装置であって、親機は、ファクシミリ信号を記録する記録手段と、回線からの着信を受けてファクシミリ信号の受信を行うファクシミリ受信動作中に、回線から受信されてファクシミリ子機へ中継して送信するファクシミリ信号を記録手段に記録する記録制御手段と、ファクシミリ受信動作の終了後、その終了したファクシミリ受信動作中に記録手段に記録されたファクシミリ信号をファクシミリ子機へ無線送信させる記録信号送信制御手段と、を備えており、ファクシミリ子機は、ファクシミリ受信動作中に親機により中継して送信されたファクシミリ信号である第１ファクシミリ信号と、ファクシミリ受信動作中に親機の記録手段に記録されて、そのファクシミリ受信動作の終了後に親機から送信されるファクシミリ信号である第２ファクシミリ信号と、の少なくとも一方に基づいて画像データを生成する画像データ生成手段を備えている。
【００１２】
上記構成のファクシミリ装置では、親機は、受信動作の際、単にファクシミリ信号の中継を行うだけでなく、親機自身においても回線から受信したファクシミリ信号を記録し、受信動作終了後にその記録したファクシミリ信号（第２ファクシミリ信号）をファクシミリ子機へ無線送信する。ファクシミリ子機は、受信動作中は親機から無線送信されるファクシミリ信号（第１ファクシミリ信号）をリアルタイムに受信するが、そのリアルタイムに受信した第１ファクシミリ信号に含まれている画像データをそのまま無条件に取得する（つまり第１ファクシミリ信号が変復調手段により復調されたファクシミリデータから画像データを生成する）のではなく、受信動作終了後に親機からの第２ファクシミリ信号が受信された場合は、その第２ファクシミリ信号及び第１ファクシミリ信号のうち少なくとも一方に基づいて画像データを生成する。
【００１３】
そのため、仮に、受信動作中の無線通信環境が悪くてファクシミリ子機が第１ファクシミリ信号からは正常な画像データが生成できないとしても、受信動作終了後に親機から送信されてくる第２ファクシミリ信号から画像データを正常に生成することができる。第２ファクシミリ信号の送信は受信動作終了後に行われるものであってリアルタイム性は要求されないため、ファクシミリ子機は、第２ファクシミリ信号をもとに画像データを正常に生成できるのである。
【００１４】
従って、上記構成のファクシミリ装置によれば、ファクシミリ子機は、第１ファクシミリ信号及び第２ファクシミリ信号の少なくとも一方に基づいて正常な画像データを生成できるため、受信動作中の親機とファクシミリ子機との間の通信環境にかかわらず、ファクシミリ子機において画像データを正常に取得することができる。
【００１５】
第１ファクシミリ信号及び第２ファクシミリ信号に基づいて具体的にどのように画像データを生成するかについての具体的方法は種々考えられ、例えば、第１ファクシミリ信号と第２ファクシミリ信号を比較して両者が異なっていたら第２ファクシミリ信号に基づいて画像データを生成するようにしてもよいし、また例えば、常に第２ファクシミリ信号に基づいて画像データを生成するようにしてもよいが、受信動作中の第１ファクシミリ信号の受信状態をファクシミリ子機にて監視し、正常に受信されなかった場合に親機へ第２ファクシミリ信号を要求してそれに基づいて画像データを生成するようにしてもよい。
【００１６】
即ち、ファクシミリ子機は、ファクシミリ受信動作中、第１ファクシミリ信号の受信が正常に行われたか否か判断する子機受信判断手段と、ファクシミリ受信動作の終了後、そのファクシミリ受信動作中において子機受信判断手段により第１ファクシミリ信号の受信が正常に行われなかったと判断された場合に記録信号送信要求を親機へ無線送信させる記録信号送信要求手段とを備え、親機が備える記録信号送信制御手段は、ファクシミリ子機からの記録信号送信要求が受信された場合に第２ファクシミリ信号をファクシミリ子機へ無線送信させ、ファクシミリ子機が備える画像データ生成手段は、記録信号送信要求に対して親機から無線送信された第２ファクシミリ信号に基づいて画像データを生成する。
【００１７】
上記構成のファクシミリ装置によれば、受信動作中にファクシミリ子機にて第１ファクシミリ信号が正常に受信されなかった場合に、親機からファクシミリ子機へ第２ファクシミリ信号が送信されてそれに基づいて画像データが生成される。そのため、親機における第２ファクシミリ信号の送信処理やファクシミリ子機における第２ファクシミリ信号の受信・画像データ化等の処理量を抑えることができ、ファクシミリ装置全体の処理負荷や消費電力の低減が可能となる。
【００１８】
受信動作中にファクシミリ子機にて第１ファクシミリ信号が正常に受信された場合に親機が記録手段に記録されている第２ファクシミリ信号をどう処理するかは種々考えられ、例えばそのまま残しておいてもよいが、親機における第２ファクシミリ信号記録領域の効率的使用を考慮すれば、削除するのが好ましい。
【００１９】
即ち、ファクシミリ子機は、子機受信判断手段により第１ファクシミリ信号の受信が正常に行われたと判断された場合に、第１削除要求を親機へ無線送信させる第１削除要求手段を備え、親機は、記録手段に記録された第２ファクシミリ信号に対し、子機から第１削除要求が受信された場合にその第２ファクシミリ信号を削除する第１削除手段を備えた構成とする。上記構成のファクシミリ装置によれば、ファクシミリ子機へ送信されない第２ファクシミリ信号は削除されるため、その分、親機における第２ファクシミリ信号の記録領域を縮小することができる。
【００２０】
回線から着信があった際に、親機がどのタイミングでファクシミリ信号の記録を開始するかについては種々考えられるが、ファクシミリ子機からの要求をもって記録開始するようにするとよい。
【００２１】
即ち、ファクシミリ子機は、ファクシミリ受信動作の開始後、所定の記録開始要求タイミングにて親機へ記録開始要求を無線送信させる記録開始要求手段を備えており、親機が備える記録制御手段は、ファクシミリ子機からの記録開始要求が受信された場合に、第２ファクシミリ信号の記録を開始する。上記構成のファクシミリ装置によれば、親機は、ファクシミリ子機からの要求に基づく適切なタイミングでファクシミリ信号の記録を開始することができ、記録開始要求タイミングを適切に設定することで、第２ファクシミリ信号の記録領域を効果的に縮小することが可能となる。
【００２２】
この場合、ファクシミリ子機が具体的にどのタイミングで記録開始要求を親機へ送信するかについては種々考えられるが、当該ファクシミリ装置のファクシミリ通信機能がＩＴＵ−Ｔ勧告Ｔ．３０で定められる手順に従うものである場合は、効率的で必要十分な記録を行うようにするために、次のようなタイミングにするとよい。
【００２３】
即ち、上記記録開始要求タイミングは、ファクシミリ受信動作中、ファクシミリ子機において、回線からＴＣＦ信号が正常に受信された後、そのＴＣＦ信号に対する応答信号であるＣＦＲ信号を送信する前のタイミングである。
【００２４】
ＩＴＵ−Ｔ勧告Ｔ．３０で定められる手順に従うファクシミリ装置では、受信側がトレーニングチェック終了後（即ちＴＣＦ信号が正常に受信された後）にＣＦＲ信号を送出することで、回線側からの画像データ送信が開始される。そのため、ファクシミリ子機が、トレーニングチェック終了後、ＣＦＲ信号の送出前に親機へ記録開始要求を送信するようにすれば、親機にて画像データ以外の不要なデータ（例えばＴＣＦ信号やそれ以前に回線側から受信される各種制御信号等）まで記録されてしまうのを防ぐことができ、親機における第２ファクシミリ信号の記録領域をより縮小することができる。
【００２５】
親機にてファクシミリ信号の記録開始後、どのタイミングでその記録を停止するかについても種々考えられるが、記録停止についてもファクシミリ子機からの要求をもって行うとよい。即ち、ファクシミリ子機は、記録開始要求手段により親機への記録開始要求の無線送信がなされた後、所定の記録停止要求タイミングにて親機へ記録停止要求を無線送信させる記録停止要求手段を備えており、親機が備える記録制御手段は、第２ファクシミリ信号の記録開始後、ファクシミリ子機からの記録停止要求が受信された場合に、その第２ファクシミリ信号の記録を停止する。
【００２６】
上記構成のファクシミリ装置によれば、親機は、ファクシミリ子機からの要求に基づく適切なタイミングでファクシミリ信号の記録を停止することができ、第２ファクシミリ信号の記録領域をより効果的に縮小することが可能となる。
【００２７】
この場合、ファクシミリ子機が具体的にどのタイミングで記録停止要求を親機へ送信するかについては種々考えられるが、当該ファクシミリ装置のファクシミリ通信機能がＩＴＵ−Ｔ勧告Ｔ．３０で定められる手順に従うものである場合は、効率的で必要十分な記録を行うようにするために、次のような記載のタイミングにするとよい。
【００２８】
即ち、上記記録停止要求タイミングは、ファクシミリ受信動作中、ファクシミリ子機において、回線からＥＯＰ信号が受信された後、そのＥＯＰ信号に対する応答信号であるＭＣＦ信号を送信する前のタイミングである。
【００２９】
ＩＴＵ−Ｔ勧告Ｔ．３０で定められる手順に従うファクシミリ装置では、送信側にて、送信すべき画像データの全頁（最終頁）を送出した後にＥＯＰ信号が送信される。ファクシミリ子機は、そのＥＯＰ信号の受信をもって画像データが全頁受信されたことを認識でき、そのＥＯＰ信号に対してＭＣＦ信号を送信する。そのため、ファクシミリ子機は、ＥＯＰ信号の受信後、ＭＣＦ信号を送信する前に親機へ記録停止要求を送信するようにすれば、画像データ受信完了後に回線側から受信される可能性のある不要なデータ（例えばＤＣＮ信号等）まで記録されてしまうのを防ぐことができ、親機における第２ファクシミリ信号の記録領域をさらに縮小することができる。
【００３０】
ファクシミリ子機からの要求に対して親機が第２ファクシミリ信号を送信した後、親機がその送信した第２ファクシミリ信号をどのように処理するかについても種々考えられ、例えばそのまま残しておくこともできるが、親機における第２ファクシミリ信号記録領域の効率的使用を考慮すれば、削除するのが好ましい。
【００３１】
即ち、親機は、記録制御手段により記録された第２ファクシミリ信号が記録信号送信制御手段によりファクシミリ子機へ無線送信された後にその無線送信された第２ファクシミリ信号を記録手段から削除する第２削除手段を備えている。上記構成のファクシミリ装置によれば、ファクシミリ子機へ送信された第２ファクシミリ信号は記録手段から削除されるため、その分、親機における第２ファクシミリ信号の記録領域を縮小することができる。
【００３２】
この場合、親機が、第２ファクシミリ信号を送信した後にどのタイミングでその第２ファクシミリ信号を削除するかについても種々考えられるが、ファクシミリ子機からの要求をもって削除するようにするとよい。即ち、ファクシミリ子機は、ファクシミリ受信動作の終了後、親機からの第２ファクシミリ信号が受信された場合に第２削除要求を親機へ無線送信させる第２削除要求手段を備えており、親機が備える第２削除手段は、ファクシミリ子機からの第２削除要求が受信された場合に、記録手段に記録された第２ファクシミリ信号の削除を行う。
【００３３】
上記構成のファクシミリ装置によれば、ファクシミリ子機にて第２ファクシミリ信号が確実に受信された後に、親機において記録手段から第２ファクシミリ信号が削除されることとなるため、親機は適切なタイミングで第２ファクシミリ信号を削除することができる。
【００３４】
ファクシミリ子機と親機との間の通信環境が良好で、受信動作中にファクシミリ子機が親機からの第１ファクシミリ信号を正常に受信できる（つまり画像データをリアルタイムに正常受信できる）ならば、その受信動作後に親機から第２ファクシミリ信号を送信する必要はない。これは即ち、通信環境が良好ならば親機にてファクシミリ信号を記録すること自体、その必要性は必ずしもないとも言える。そこで、上記各構成のファクシミリ装置は、ファクシミリ子機が、親機との間で正常に無線通信が行える通信環境良好状態であるか否かを判断する通信環境判断手段を備えるようにし、親機が備える記録制御手段は、通信環境判断手段により通信環境良好状態であると判断された場合は、第２ファクシミリ信号の記録を行わないようにするとよい。
【００３５】
上記構成のファクシミリ装置によれば、通信環境が良好ならば親機でのファクシミリ信号の記録自体が行われないため、親機の処理負荷や消費電力のさらなる低減が可能となる。
【図面の簡単な説明】
【００３６】
【図１】実施形態のファクシミリ装置の概略構成を表す構成図である。
【図２】親機及びファクシミリ子機の概略構成を表す構成図である。
【図３】ファクシミリ受信動作を説明するためのシーケンス図である。
【図４】親機にて実行される親機受信処理を表すフローチャートである。
【図５】ファクシミリ子機にて実行されるファクシミリ子機受信処理を表すフローチャートである。
【図６】ファクシミリ子機にて実行される通信環境監視処理を表すフローチャートである。
【発明を実施するための形態】
【００３７】
以下に、本発明の好適な実施形態を図面に基づいて説明する。
図１に示すように、本実施形態のファクシミリ装置１は、電話回線（ファクシミリ網）１００に接続された親機２と、この親機２と無線通信可能であってファクシミリ通信機能を有するファクシミリ子機（ＦＡＸ子機）３と、を備えている。
【００３８】
ＦＡＸ子機３は、ファクシミリ機能に加えてスキャナ機能、プリンタ機能、及びコピー機能なども備えたいわゆる複合機として構成されたものである。ファクシミリ機能においては、ＦＡＸ子機３は、送受信相手である対向端末１１０との間の音声信号（ファクシミリ信号）の送受信を、親機２を中継して行う。そのため、ＦＡＸ子機３は、直接的には、ファクシミリ通信で送受信すべき音声信号を親機２との間で無線にて送受信するよう構成されている。尚、ここでいう音声信号（ファクシミリ信号）は、周知の通り、音声周波数帯域（例えば３００〜３４００Ｈｚ）のアナログ信号である。
【００３９】
親機２は、ＦＡＸ子機３との間で無線通信可能であって、そのＦＡＸ子機３と電話回線１００との間の音声信号の中継をリアルタイムに行う機能に加え、デジタルコードレス（以下「ＤＣＬ」と略す）通信方式による通話用の音声信号をコードレス子機４との間で送受信する機能も備えた、通信ＢＯＸとして構成されている。
【００４０】
親機２とＦＡＸ子機３との間の無線通信、及び親機２とコードレス子機４との間の無線通信（音声信号送受信）は、いずれも同じＤＣＬ通信方式（例えば２．４ＧＨｚ帯の周波数帯域を用いた周波数ホッピング方式によるスペクトラム拡散通信方式）にて行われる。
【００４１】
親機２は、電話回線１００に接続されてその電話回線１００との間（延いては対向端末１１０等の相手側端末装置との間）で音声信号の送受信を行うための回線インタフェース（Ｉ／Ｆ）部２５と、ＤＣＬ通信方式により各子機３，４と無線通信を行うＤＣＬ無線通信部２４とを備えている。回線Ｉ／Ｆ部２５は、電話回線１００の閉結・開放や極性反転の検出などの機能を備えている。ＦＡＸ子機３は、ＤＣＬ通信方式により親機２と無線通信を行うＤＣＬ無線通信部３４と、音声信号からＦＡＸデータへの復調及びＦＡＸデータから音声信号への変調を行うＦＡＸモデム３７と、を備えている。
【００４２】
ファクシミリ通信において、電話回線１００から送信されてきた音声信号は、親機２の回線Ｉ／Ｆ部２５にて受信され、それが音声信号処理部２６（図１では図示略。図２参照。）にてＡＤ変換されてＤＣＬ無線通信部２４からアンテナ２ａにより無線送信される。その無線送信された音声信号は、ＦＡＸ子機３においてアンテナ３ａにより受信されてＤＣＬ無線通信部３４に入力され、それが音声信号処理部３６（図１では図示略。図２参照。）にてＤＡ変換されてＦＡＸモデム３７に入力され、ＦＡＸデータに復調される。逆に、ＦＡＸ子機３から画像データを送信する際は、その画像データを含むＦＡＸデータがＦＡＸモデム３７にて音声信号に変調され、その音声信号が音声信号処理部３６にてＡＤ変換されてＤＣＬ無線通信部３４から無線送信される。その無線送信された音声信号は、親機２においてＤＣＬ無線通信部２４にて受信され、それが音声信号処理部２６にてＤＡ変換されて回線Ｉ／Ｆ部２５から電話回線１００へ送出される。
【００４３】
尚、本実施形態のファクシミリ通信は、ＩＴＵ−Ｔ勧告Ｔ．３０で定められる手順の一つである、Ｇ３ファクシミリ手順に従って行われる。また、電話回線を伝送される音声信号には、主に、通話用の音声信号とファクシミリ通信用の音声信号があるが、以下の説明で単に「音声信号」と言うときは、特に断りのない限り、ファクシミリ通信用の音声信号（ファクシミリ信号）を意味するものとする。
【００４４】
本実施形態のファクシミリ装置１は、その特徴的機能として、親機２における、電話回線１００から受信した音声信号の記録、及びその記録した音声信号のＦＡＸ子機３への無線送信を行う音声信号録音・送信機能を備えている。以下の説明では、音声信号の記録を「録音」とも称し、その録音した音声信号（本発明の第２ファクシミリ信号に相当）を「録音信号」とも称することとする。
【００４５】
尚、親機２における音声信号の録音は、デジタルデータに変換された状態で行われ、そのデジタル化されて録音された録音信号（以下「録音データ」とも称す）がＦＡＸ子機３へ送信されて、ＦＡＸ子機３にて再びアナログの音声信号に変換される。そのため、以下の説明では、録音信号と録音データは実質的には同義であるものとして扱う。
【００４６】
また、本実施形態のファクシミリ装置１は、その特徴的機能として、ＦＡＸ子機３における、電話回線１００からの着信（着呼）を受けて音声信号の受信を行うファクシミリ受信動作（受信動作）の際に親機２からリアルタイムに受信される音声信号（本発明の第１ファクシミリ信号に相当）の受信状態を監視するエラー判定機能、及びそのエラー判定機能にてエラー有りと判定された場合に親機２へ録音信号を要求・取得する録音信号要求・取得機能と、を備えている。
【００４７】
次に、ファクシミリ装置１を構成する親機２及びＦＡＸ子機３のより具体的な構成、機能等について、図２を用いて説明する。図２に示すように、親機２は、図４に示す親機受信処理（詳細は後述）を含む各種制御プログラムを実行する制御部２１と、これら各種制御プログラム等が記憶されたＲＯＭ２２と、録音信号（録音データ）を含む各種データ等が記憶されるＲＡＭ２３（本発明の記録手段に相当）と、既述のＤＣＬ無線通信部２４及び回線Ｉ／Ｆ部２５と、回線Ｉ／Ｆ部２５により受信された音声信号のＡＤ変換やＦＡＸ子機３からデジタル化されて送信されてきた音声信号のＤＡ変換等の処理を行う音声信号処理部２６と、回線Ｉ／Ｆ部２５により受信されて音声信号処理部２６によりＡＤ変換された音声信号をＦＡＸ子機３からの命令に従ってＲＡＭ２３に記憶させる（即ち録音する）音声信号記憶制御部２７と、各種情報が表示される表示部２８と、各種メニュー操作や設定等のための複数のボタン等（図示略）からなる操作部２９と、を備え、これらがバス３０を介して相互に接続されている。
【００４８】
制御部２１は、本実施形態ではＣＰＵにより構成されている。この制御部２１によって、ＤＣＬ無線通信部２４、回線Ｉ／Ｆ部２５、音声信号処理部２６、及び音声信号記憶制御部２７等の各部の動作がそれぞれ制御される。
【００４９】
ＦＡＸ子機３は、図５，図６に示す各処理（詳細は後述）を含む各種制御プログラムを実行する制御部３１と、これら各種制御プログラム等が記憶されたＲＯＭ３２と、ファクシミリ通信の画像データを含む各種データ等が記憶されるＲＡＭ３３と、既述のＤＣＬ無線通信部３４と、このＤＣＬ無線通信部３４により受信されたデジタル化された音声信号のＤＡ変換や送信すべき音声信号（ＦＡＸモデム３７で変調された音声信号）のＡＤ変換等の処理を行う音声信号処理部３６と、既述のＦＡＸモデム３７と、各種情報が表示される表示部３８と、各種メニュー操作や設定等を行うための複数のボタン等（図示略）からなる操作部３９と、原稿の画像を読み取る画像読取部４１と、印刷用紙等の記録媒体へ画像記録（印刷）を行う画像記録部４２と、を備え、これらがバス４０を介して相互に接続されている。
【００５０】
ＦＡＸ子機３が備えるＤＣＬ無線通信部３４は、親機２との無線通信におけるＢＥＲ（Bit Error Rate）及びＲＳＳＩ（Receive Signal Strength Indicator ）を周期的に検出し、検出する毎にその最新の検出値を保持する機能を備えている。このＢＥＲやＲＳＳＩは、ＦＡＸ子機３において受信動作時に制御部３１が実行するエラー判定処理や、制御部３１が常時実行する通信環境監視処理（図６参照）にて、制御部３１により参照される。
【００５１】
このうち受信動作時のエラー判定処理は、受信動作中に音声信号のリアルタイム受信が正常に行われたか否かを判断するための処理であって、上述したエラー判定機能を実現するものである。制御部３１は、受信動作中（詳しくは、図５のＦＡＸ子機受信処理におけるＳ４６０の処理開始からＳ５５０の処理終了までの間）、所定時間間隔でＤＣＬ無線通信部３４からＢＥＲを取得する。そして、その取得された各ＢＥＲに基づいてエラーの有無を判定する。具体的に何を基準にエラーの有無を判定するかについては種々考えられ、例えばＢＥＲについてある閾値を設定し、検出された各ＢＥＲのうちその閾値以上のものが１つでもある場合、或いは全検出値のうちその閾値以上のものの割合が所定の割合以上である場合に、エラー有りと判断することができる。
【００５２】
次に、ファクシミリ装置１における受信動作の一例を、その前後の処理も含めて図３のシーケンス図を用いて説明する。対向端末１１０からの発呼により親機２への着信があると、親機２は、ＦＡＸ子機３の呼出（着信通知）を行う。これを受けたＦＡＸ子機３は、親機２へＤＣＬ通信接続要求を送信し、その要求を受けた親機２は、電話回線１００を閉結する。これにより、Ｇ３ファクシミリ手順に従ったＦＡＸ通信が開始される。
【００５３】
即ち、まずフェーズＡの呼設定手順により、対向端末１１０からの、ＦＡＸ通信を通知する信号であるＣＮＧ信号が、親機２を介して（中継して）ＦＡＸ子機３で受信される。ＦＡＸ子機３は、ＣＮＧ信号を受信すると、当該ＦＡＸ子機３もファクシミリ通信可能な端末である旨を示すＣＥＤ信号を、親機２を介して対向端末１１０へ送信する。
【００５４】
その後、フェーズＢに移行し、送受信時の機能についてのネゴシエーションが行われる。具体的には、ＦＡＸ子機３から親機２を介して対向端末１１０へ、当該ＦＡＸ子機３が備える最大限の機能を示すＤＩＳ信号を送信する。このＤＩＳ信号に対し、対向端末１１０からは、ＤＣＳ信号が親機２を介して受信され、続いてトレーニングチェックのためのＴＣＦ信号が受信される。ＦＡＸ子機３は、ＴＣＦ信号を正常に受信できた場合は、その旨を示すＣＦＲ信号を、親機２を介して対向端末１１０へ送信する。
【００５５】
このフェーズＢにおいて、本実施形態では、ＦＡＸ子機３が、ＴＣＦ信号を正常に受信できた場合、ＣＦＲ信号を送信する前に、親機２に対して録音開始命令を送信する。親機２は、その録音開始命令を受信すると、電話回線１００側から受信される音声信号のＲＡＭ２３への録音を開始する。
【００５６】
その後、フェーズＣに移行し、対向端末１１０からの、画像データを含む音声信号の受信が行われる。このフェーズＣでは、ＦＡＸ子機３は、対向端末１１０からの音声信号を親機２を介してリアルタイムに受信すると共に、その受信した音声信号の画像データへの変換（ＦＡＸモデム３７による復調や復号化等）及びその画像データのＲＡＭ３３への記憶もリアルタイムに行う。尚、この画像データを含む音声信号の受信を含め、フェーズＡ〜フェーズＥまでの一連の手順における、親機２とＦＡＸ子機３との間の音声信号の送受信は、リアルタイムに行われる。
【００５７】
画像データを含む音声信号の受信完了後は、フェーズＤに移行し、対向端末１１０から、最終ページであることを示すＥＯＰ信号が親機２を介して受信される。ＦＡＸ子機３は、このＥＯＰ信号を受信すると、応答用のＭＣＦ信号を、親機２を介して対向端末１１０へ送信する。
【００５８】
このフェーズＤにおいて、本実施形態では、ＦＡＸ子機３が、ＥＯＰ信号を受信した後、ＭＣＦ信号を送信する前に、親機２に対して録音停止命令を送信する。親機２は、その録音停止命令を受信すると、電話回線１００側からの音声信号の録音を停止する。
【００５９】
尚、フェーズＤでは、周知の通り、対向端末１１０は、画像データの全ページ送信が完了するまでの間、ＥＯＰ信号ではなくＥＯＭ信号或いはＭＰＳ信号を送出してフェーズＣ或いはフェーズＢに戻ることがあるが、それらの処理についての詳細説明は省略する。
【００６０】
フェーズＤの終了後はフェーズＥに移行し、対向端末１１０から親機２を介して、呼切断を開始する旨を示すＤＣＮ信号が受信される。その後、電話回線１００側にて実際に呼が切断され、これを受けて親機２はＦＡＸ子機３へ呼切断通知を送信する。ＦＡＸ子機３は、親機２からの呼切断通知を受信すると、親機２へＤＣＬ通信切断要求を送信し、これを受けた親機２は、電話回線１００を開放する。尚、ＦＡＸ子機３は、フェーズＢにおいて親機２へ録音開始命令を送信した後に上述したエラー判定処理を開始し、フェーズＥが終了して親機へＤＣＬ通信切断要求を送信した後にそのエラー判定処理を終了する。
【００６１】
本実施形態のファクシミリ装置１では、回線開放後、引き続き次の処理が行われる。即ち、ＦＡＸ子機３は、上記エラー判定処理においてエラー有りと判断された場合は親機２へ録音データ要求を送信する。これを受けた親機２は、リアルタイム受信動作中に録音した録音データをＦＡＸ子機３へ送信する。この録音データの送信にはリアルタイム性は要求されず、最終的にＦＡＸ子機３にて正常に受信完了するまで行われる。
【００６２】
ＦＡＸ子機３は、親機２から録音データを受信すると、それをＦＡＸモデム３７にて復調し、更に復号化等の各種処理を経て、画像データに変換する。そして、そのようにして生成された画像データを、ＲＡＭ３３へ記憶する。
【００６３】
録音データの画像データへの変換後、ＦＡＸ子機３は、受信動作中にリアルタイムに受信されてＲＡＭ３３に記憶された画像データについては削除し、更に、親機２に対しても、受信動作中に親機２のＲＡＭ２３に録音された録音信号（録音データ）を削除する旨の録音データ削除命令を送信する。これを受けた親機２は、自身のＲＡＭ２３に録音されている、その削除対象の録音データを削除する。
【００６４】
ＦＡＸ子機３は、エラー判定処理によりエラー無しと判断された場合は、受信動作中にリアルタイムに受信された音声信号から画像データを正常に取得することができるということであるため、親機２への録音データ要求等は行わず、単に、親機２へ録音データ削除命令を送信して、親機２に録音されている録音データを削除させる。
【００６５】
つまり、ＦＡＸ子機３は、リアルタイム受信時にエラーがなかった場合はそのリアルタイム受信した音声信号から画像データを生成し、リアルタイム受信時にエラーがあった場合は、そのリアルタイム受信した音声信号に代えて、親機２で録音された録音信号（録音データ）から画像データを生成するのである。
【００６６】
尚、図３では、ファクシミリ受信処理の一例として、受信動作中に親機２にて音声信号を録音し、受信動作後にその録音信号（録音データ）をＦＡＸ子機３へ送信する例を挙げたが、受信動作中における親機２による音声信号の録音は必ず行われるわけではない。即ち、ＦＡＸ子機３は、通信環境監視処理（図６参照）を常時実行して、親機２とＦＡＸ子機３との間の通信環境を監視しており、通信環境が良好である場合は、親機２への録音開始命令は送信しない。つまり、通信環境が良好ならば、ＦＡＸ子機３は従来のファクシミリ受信処理と同じようにフェーズＡ〜フェーズＥまでの一例の手順で信号送受信を行った後、親機２へＤＣＬ通信切断要求を送信して、ファクシミリ受信処理を終了する。この場合、親機２も、従来のファクシミリ受信処理と同様、音声信号の録音は行わず、電話回線１００の開放をもってファクシミリ受信処理を終了する。
【００６７】
次に、親機２の制御部２１が実行する親機受信処理について、図４を用いて説明する。親機２の制御部２１は、対向端末１１０からの着信を受けるとこの親機受信処理を開始し、Ｓ１１０にてＦＡＸ子機３の呼出（着信通知）を行い、Ｓ１２０にてＦＡＸ子機３から応答（ＤＣＬ通信接続要求）を受信したか否か判断する。ＦＡＸ子機３からＤＣＬ通信接続要求を受信しない場合は、Ｓ２６０にて、タイムアウトしたか否か判断する。この判断は、本親機受信処理の開始後、ＦＡＸ子機３からＤＣＬ通信接続要求を受信しないまま所定時間経過（即ちタイムアウト）したか否かを判断するものであり、上記所定時間は、親機２とＦＡＸ子機３とが正常にＤＣＬ無線通信可能である限りその所定時間の経過前に確実にＦＡＸ子機３からＤＣＬ通信接続要求が受信されるような時間に設定されている。
【００６８】
ＦＡＸ子機３からＤＣＬ通信接続要求が受信されない間も、Ｓ２６０でタイムアウトと判定されるまでは、Ｓ２６０からＳ１２０に戻ってＳ１２０の処理が繰り返されることになるが、Ｓ２６０でタイムアウトと判定された場合は、Ｓ２７０にて所定のエラー表示（例えばＦＡＸ子機３との通信異常を示す表示）を行って、本親機受信処理を終了する。
【００６９】
Ｓ１２０で、ＦＡＸ子機３からＤＣＬ通信接続要求が受信された場合は、Ｓ１３０にてＦＡＸ子機３とのＤＣＬ無線通信の接続を確立させてＦＡＸ子機３との間で音声信号のリアルタイム送受信が可能な状態とし、続くＳ１４０にて、電話回線１００を閉結する。
【００７０】
電話回線１００の閉結後、Ｓ１５０にて、ＦＡＸ子機３から録音開始命令が受信されたか否か判断する。ＦＡＸ子機３から録音開始命令を受信しない場合は、Ｓ２８０にて、ＦＡＸ子機３からＤＣＬ通信切断要求を受信したか否かを判断する。
【００７１】
既述の通り、ＦＡＸ子機３では、図６の通信環境監視処理が常時実行され、その通信環境監視処理において通信環境が良好であると判断されている場合は、親機２への録音開始命令は送信されない。そのため、通信環境が良好である場合は、ＦＡＸ子機３では、回線閉結後にそのまま通常の受信動作に入り、受信動作終了後、親機２へＤＣＬ通信切断要求が送信されるはずである。このようなケースに対応すべく、Ｓ１５０にてＦＡＸ子機３から録音開始命令が受信されない場合は、Ｓ２８０にて、ＦＡＸ子機３からのＤＣＬ通信切断要求を待つようにしている。そして、ＦＡＸ子機３からＤＣＬ通信切断要求が受信されると、Ｓ３１０にて、ＦＡＸ子機３とのＤＣＬ無線通信の接続状態を切断し、続くＳ３２０にて電話回線１００を開放して、本処理を終了する。
【００７２】
Ｓ１５０にて、ＦＡＸ子機３から録音開始命令が受信された場合は、Ｓ１６０にて、電話回線１００から受信される音声信号の録音を開始し、Ｓ１７０にて、ＦＡＸ子機３からの録音停止命令の受信を待つ。Ｓ１７０でＦＡＸ子機３から録音停止命令を受信していない場合は、Ｓ２９０にて、タイムアウトしたか否か判断する。この判断は、ＦＡＸ子機３から録音開始命令を受信した後、ＦＡＸ子機３から録音停止命令を受信しないまま所定時間経過（即ちタイムアウト）したか否かを判断するものである。この場合の所定時間は、親機２とＦＡＸ子機３とが正常にＤＣＬ無線通信を行える状態にある限り、仮に大量の画像データ（例えばＲＡＭ２３の全容量が録音信号で埋まってしまうほどの大容量の画像データ）が受信されたとしてもその所定時間を経過する前迄にはその画像データの受信が確実に完了（延いては音声信号の録音も確実に完了）するような時間に設定されている。
【００７３】
Ｓ１７０にてＦＡＸ子機３から録音停止命令が受信されない間も、Ｓ２９０でタイムアウトと判定されるまでは、Ｓ２９０からＳ１７０に戻ってＳ１７０の処理が繰り返されることになるが、Ｓ２９０でタイムアウトと判定された場合は、Ｓ３００にて音声信号の録音を停止する。そして、Ｓ３１０でＤＣＬ無線通信の接続状態を切断し、Ｓ３２０で電話回線１００を開放して、本処理を終了する。
【００７４】
Ｓ１７０にて、ＦＡＸ子機３から録音停止命令が受信された場合は、Ｓ１８０にて、電話回線１００側からの音声信号の録音を停止し、Ｓ１９０にて、ＦＡＸ子機３からＤＣＬ通信切断要求を受信したか否かを判断する。Ｓ１９０にてＦＡＸ子機３からのＤＣＬ通信切断要求が受信されると、Ｓ２００にて、Ｓ３１０と同様にＤＣＬ無線通信の接続状態を切断し、Ｓ２１０にて、Ｓ３２０と同様に電話回線１００を開放する。
【００７５】
Ｓ２２０では、ＦＡＸ子機３から録音データ要求が受信されたか否か判断し、受信された場合は、Ｓ２３０にて、受信動作時にＲＡＭ２３に録音した録音データ（音声信号）をＦＡＸ子機３へ送信する。そして、Ｓ２４０で、ＦＡＸ子機３から録音データ削除命令が受信されたか否かを判断する。Ｓ２２０にて、ＦＡＸ子機３から録音データ要求が受信されなかった場合は、受信動作時にＦＡＸ子機３にて音声信号が正常にリアルタイム受信されたものと判断し、Ｓ２４０に進んでＦＡＸ子機３からの録音データ削除命令を待つ。
【００７６】
Ｓ２４０にてＦＡＸ子機３から録音データ削除命令を受信しない場合は、Ｓ３４０にて、タイムアウトしたか否か判断する。この判断は、Ｓ２１０での回線開放後、ＦＡＸ子機３から録音データ削除命令を受信しないまま所定時間経過（即ちタイムアウト）したか否かを判断するものであり、この場合の所定時間は、親機２とＦＡＸ子機３とが正常にＤＣＬ無線通信を行える状態にある限りその所定時間を経過する前に確実にＦＡＸ子機３から録音データ削除命令が受信されるような時間に設定されている。
【００７７】
ＦＡＸ子機３から録音データ削除命令が受信されない間も、Ｓ３４０でタイムアウトと判定されるまでは、Ｓ３４０からＳ２２０に戻ってＳ２２０以下の処理が繰り返されることになるが、Ｓ３４０でタイムアウトと判定された場合は、そのまま本処理を終了する。
【００７８】
Ｓ２４０で、ＦＡＸ子機３から録音データ削除命令が受信された場合は、Ｓ２５０にて、ＲＡＭ２３に記録されている録音データ（録音信号）を削除して、本処理を終了する。
次に、ＦＡＸ子機３の制御部３１が実行するＦＡＸ子機受信処理について、図５を用いて説明する。ＦＡＸ子機３の制御部３１は、親機２からの呼出（着信通知）を受けるとこのＦＡＸ子機受信処理を開始し、まずＳ４１０にて、親機２へＤＣＬ通信接続要求を送信し、その後Ｓ４２０にて、ファクシミリ通信におけるフェーズＡの手順の処理を行う。
【００７９】
フェーズＡの後、Ｓ４３０にてフェーズＢの手順の処理を開始し、ＴＣＦ信号が正常に受信されたら、Ｓ４４０にて、通信環境が良好か否かを判断する。この判断は、ＦＡＸ子機３のＲＡＭ３３に設定されている通信環境良好フラグ及び通信環境不良フラグの状態に従って行われる。これら各フラグは、後述する図６の通信環境監視処理で設定される。
【００８０】
通信環境良好フラグがセットされていて通信環境不良フラグがクリアされている場合は、Ｓ４４０にて通信環境が良好と判断され、Ｓ６２０に進む。この場合、親機２での音声信号録音は不要（つまりリアルタイム受信される音声信号から正常に画像データを取得できる）と判断して、従来と同様の受信処理を実行する。即ち、Ｓ６２０にてＣＦＲ信号を送信し、Ｓ６３０にてフェーズＣの手順の処理を実行する。このフェーズＣでは、親機２を介して音声データをリアルタイムに受信すると共に、その音声データの画像データへの変換及びＲＡＭ３３への記憶等が行われる。
【００８１】
フェーズＣの後、Ｓ６４０にてフェーズＤの手順の処理を実行し、その後Ｓ６５０にてフェーズＥの手順の処理を実行する。フェーズＥの処理後は、Ｓ６６０にて、親機２へＤＣＬ通信切断要求を送信して、本処理を終了する。
【００８２】
Ｓ４４０にて、通信環境不良フラグがセットされていて通信環境良好フラグがクリアされている場合は、通信環境は不良と判断して、Ｓ４５０に進む。Ｓ４５０では、親機２へ録音開始命令を送信し、その後、Ｓ４６０にてＤＣＬ通信エラー検出（即ち既述のエラー判定処理）を開始し、Ｓ４７０にて、ＣＦＲ信号を送信する。ＣＦＲ信号の送信後、Ｓ４８０にて、Ｓ６３０と同様にフェーズＣの手順の処理を実行し、フェーズＣの後、Ｓ４９０にてフェーズＤの手順の処理を開始する。
【００８３】
フェーズＤの開始後、Ｓ５００にて、ＥＯＰ信号を受信するまで待機する。Ｓ５００にてＥＯＰ信号を受信したら、Ｓ５１０にて、親機２へ録音停止命令を送信し、Ｓ５２０にて、ＭＣＦ信号を送信する。ＭＣＦ信号の送信後、Ｓ５３０にてフェーズＥの手順の処理を行い、その後、Ｓ５４０にて、親機２へＤＣＬ通信切断要求を送信し、Ｓ５５０にて、ＤＣＬ通信エラー検出を終了する。
【００８４】
Ｓ５６０では、Ｓ４６０からＳ５５０の間のＤＣＬ通信エラー検出（即ちエラー判定処理）にてエラーが検出されたか否か（即ちエラー有りと判定されたか否か）を判断する。ここで、エラー無しならば、Ｓ６１０にて、親機２へ録音データ削除命令を送信して、本処理を終了する。一方、Ｓ５６０にてエラー有りならば、Ｓ５７０にて、親機２へ録音データ要求を送信し、これに対して親機２から送信されてくる録音データ（録音信号）をＳ５８０にて受信する。Ｓ５９０では、その受信した録音信号を画像データに変換（復調及び復号化等）し、その画像データをＲＡＭ３３に記憶する。そして、Ｓ６００にて、受信動作時にリアルタイム受信した画像データをＲＡＭ３３から削除し、Ｓ６１０にて親機２へ録音データ削除命令を送信して、本処理を終了する。
【００８５】
次に、ＦＡＸ子機３の制御部３１が実行する通信環境監視処理について、図６を用いて説明する。ＦＡＸ子機３の制御部３１は、その動作中は常時、所定の時間間隔でこの通信環境監視処理を実行する。制御部３１は、この通信環境監視処理を開始すると、まずＳ７１０にて、ＦＡＸ子機３のＤＣＬ無線通信部３４からＢＥＲを取得し、続くＳ７２０にて、同じくＤＣＬ無線通信部３４からＲＳＳＩを取得する。これらＢＥＲ及びＲＳＳＩを、Ｓ７３０で、ＲＡＭ３３に記憶する。このＢＥＲ及びＲＳＳＩの記憶は、過去３０分間の間に取得したデータを累積的に記憶することにより行われる。
【００８６】
Ｓ７４０では、ＲＡＭ３３に累積記憶されているＢＥＲ及びＲＳＳＩに基づき、通信環境が良好（通信環境良好状態）であるか否か判定する。この判定は様々な方法で行うことができ、例えば、過去３０分間のＢＥＲが全て所定の閾値以下（或いはエラー検出無し）で且つＲＳＳＩが全て所定の閾値以上である場合に通信環境良好状態と判断できる。
【００８７】
Ｓ７５０では、Ｓ７４０による判定結果を判断し、通信環境が良好と判断された場合は、Ｓ７６０にて、通信環境良好フラグをセットすると共に通信環境不良フラグをクリアする。Ｓ７４０にて通信環境が不良と判断された場合は、Ｓ７５０からＳ７７０に進み、通信環境不良フラグをセットすると共に通信環境良好フラグをクリアする。
【００８８】
以上説明した本実施形態のファクシミリ装置１によれば、受信動作中にＦＡＸ子機３にてリアルタイム受信された音声信号にエラー等が生じていても、親機２から録音信号を受信してその録音信号から正常な画像データを取得することができる。そのため、受信動作中の親機２とＦＡＸ子機３との間の通信環境にかかわらず、ＦＡＸ子機において画像データを正常に取得することができる。
【００８９】
つまり、親機２にはＦＡＸモデムを搭載せず、ＦＡＸ子機３にＦＡＸモデム３７を搭載して親機２は単に音声信号の中継を行うという構成でありながら、親機２とＦＡＸ子機３とのＤＣＬ無線通信にパケットロス（データ欠損）等のエラーがあっても、正常な画像データを取得することができる。そのため、ユーザに安心感を与えることができる。
【００９０】
また、親機２においては、ＦＡＸモデムを有しておらず、且つ、ＦＡＸ子機３との無線通信及びコードレス子機４との無線通信がいずれも同じＤＣＬ無線通信にて行われるため、制御部２１の性能を低く押さえることができる。しかも、親機２におけるＦＡＸデータの記憶についても、録音信号を一時的に記録し得るだけの少ない容量で足りる。しかも、ＦＡＸ子機３が親機２へ録音を要求する際、その録音開始及び録音停止の要求タイミングが適切に設定され、画像データ以外の他の制御信号等まで録音されないように構成されており、且つ、不要になった録音信号は削除するようにしているため、そのことも親機２の記憶領域の削減に寄与している。更に、通信環境が良好である場合は、ＦＡＸ子機３は親機へ録音を要求しない（即ち親機２での音声信号録音自体が行われない）。
【００９１】
そのため、親機２の機能や構成の簡素化及びＲＡＭ２３等の記憶容量の削減が可能となり、ファクシミリ装置１全体の構成の簡素化、コストダウン、省電力化が可能となる。
［変形例］
本発明の実施の形態は、上記実施形態に何ら限定されるものではなく、本発明の技術的範囲に属する限り種々の形態を採り得ることはいうまでもない。例えば、ＦＡＸ子機３における受信動作中のエラー判定処理（リアルタイム受信時のエラー検出）は、ＢＥＲに基づく判定方法に限らず他の方法で行うようにしてもよい。即ち、結果として、受信動作時に親機２からリアルタイム送信されたＦＡＸ信号がＦＡＸ子機３にて正常に受信されたか否か（延いてはＦＡＸ子機３にて高品質な画像データを取得できるか否か）を適切に判定できる限り、その具体的判定方法は特に限定されるものではない。
【００９２】
ＦＡＸ子機３が実行する通信環境監視処理（図６）についても、ＢＥＲ及びＲＳＳＩに基づく通信環境の良好又は不良の判断方法はあくまでも一例であり、他の方法で判断するようにしてもよい。この通信環境監視処理において、過去３０分間のＢＥＲ及びＲＳＳＩの累積データに基づいて通信環境を判定することについても、あくまでも一例である。
【００９３】
また、親機２における音声信号の録音及びその録音信号のＦＡＸ子機３への送信は、ＦＡＸ子機３におけるリアルタイム受信時のエラー有無にかかわらず、常に行うようにしてもよい。その場合、ＦＡＸ子機３は、リアルタイム受信した音声信号、及び受信動作後に親機２から受信した録音信号のうち、少なくとも一方に基づいて画像データを生成すればよい。具体的には、例えば、リアルタイム受信時はエラーが生じている可能性があることを考慮して常に録音信号に基づいて画像データを生成するようにしてもよいし、両者を比較して一致していない場合に録音信号に基づいて画像データを生成するようにしてもよいし、両者から得られる各画像データのうち正常な部分を適宜組み合わせて一つの画像データを生成してもよいなど、種々の方法が考えられる。
【００９４】
また、親機２とＦＡＸ子機３との音声信号の送受信をＤＣＬ無線通信で行うことは必須ではない。また、上記実施形態では、ＩＴＵ−Ｔ勧告Ｔ．３０で定められる手順の一例としてＧ３ファクシミリ手順を例示したが、これはあくまでも一例である。更に、本発明の適用は、ＩＴＵ−Ｔ勧告Ｔ．３０で定められる手順に従うものに限定されるものでもない（但し、請求項３，５の適用を除く）。
【符号の説明】
【００９５】
１…ファクシミリ装置、２…親機、３…ＦＡＸ子機、４…コードレス子機、２１，３１…制御部、２２，３２…ＲＯＭ、２３，３３…ＲＡＭ、２４，３４…ＤＣＬ無線通信部、２５…回線Ｉ／Ｆ部、２６，３６…音声信号処理部、２７…音声信号記憶制御部、２８，３８…表示部、２９，３９…操作部、３０，４０…バス、３７…ＦＡＸモデム、４１…画像読取部、４２…画像記録部、１００…電話回線、１１０…対向端末
【図２】
0005891688.tif 000002
【図３】
0005891688.tif 000003
【図４】
0005891688.tif 000004
【図５】
0005891688.tif 000005
【図６】
0005891688.tif 000006
【図１】
0005891688.tif 000007